(57)【特許請求の範囲】
【請求項１】
１または複数のセルまたはセクタを夫々有する基地局装置間でデータの転送を行う第１及び第２の基地局装置と、端末装置との間で無線通信を行う無線通信システムにおいて、
前記第１の基地局装置は、
前記端末装置に送信する送信データを前記第２の基地局装置へ送信する転送部を備え、
前記第１及び第２の基地局装置は、
前記セルまたは前記セクタ毎に前記送信データを前記端末装置に夫々送信するとき、共通のスクランブルコードを用いて前記送信データを夫々スクランブル処理する処理部と、
前記スクランブル処理された送信データを夫々前記端末装置に送信する送信部と
を夫々備え、
前記端末装置は、
前記送信データを受信し、前記共通のスクランブルコードを用いて前記送信データをデスクランブル処理する受信部と
を備えることを特徴とする無線通信システム。
【請求項２】
前記第１の基地局装置は、
プリコーディング情報を作成するスケジューラを備え、
前記スケジューラは前記プリコーディング情報を前記第２の基地局装置に送信し、
前記第１及び第２の基地局装置の各送信部は、前記プリコーディング情報に基づいて前記送信データに重み付けをして前記端末装置に送信する
ことを特徴とする請求項１記載の無線通信システム。
【請求項３】
１または複数のセルまたはセクタを夫々有する基地局装置間でデータの転送を行う第１及び第２の基地局装置と、端末装置との間で無線通信を行う無線通信システムにおける無線通信方法であって、
前記第１の基地局装置は、
前記端末装置に送信する送信データを前記第２の基地局装置へ送信し、
前記第１及び第２の基地局装置は、
前記セルまたは前記セクタ毎に前記送信データを前記端末装置に夫々送信するとき、共通のスクランブルコードを用いて前記送信データを夫々スクランブル処理し、
前記スクランブル処理された前記送信データを夫々前記端末装置に送信し、
前記端末装置は、前記送信データを受信し、前記共通のスクランブルコードを用いて前記送信データをデスクランブル処理する、
ことを特徴とする無線通信方法。
【請求項４】
１または複数のセルまたはセクタを有する他の基地局装置とデータの転送を行い、前記他の基地局装置とともに端末装置との間で無線通信を行う基地局装置において、
前記他の基地局装置に対して送信データを送信する転送部と、
前記セルまたは前記セクタ毎に前記送信データを夫々前記他の基地局装置とともに前記端末装置へ送信するとき、共通のスクランブルコードを用いて前記送信データを夫々スクランブル処理する処理部と、
前記スクランブル処理された前記送信データを前記端末装置に送信する送信部と
を備えることを特徴とする基地局装置。
【請求項５】
１または複数のセルまたはセクタを夫々有する基地局装置間でデータの転送を行う第１及び第２の基地局装置と無線通信を行う端末装置において、
前記第１の基地局装置から前記第２の基地局装置へ転送され、前記第１及び第２の基地局装置から送信された送信データを夫々前記第１及び第２の基地局装置から受信するとき、前記送信データは共通のスクランブルコードを用いて夫々スクランブル処理された前記送信データを受信し、前記共通のスクランブルコードを用いて前記送信データをデスクランブル処理する受信部
を備えることを特徴とする端末装置。
【請求項６】
１または複数のセルまたはセクタを夫々有する基地局装置間でデータの転送を行う第１及び第２の基地局装置と、端末装置との間で無線通信を行う無線通信システムにおいて、
前記端末装置は、
前記セルまたは前記セクタ毎に前記第１及び第２の基地局装置へ送信する送信データに対して、共通のスクランブルコードを用いてスクランブル処理する処理部と、
前記スクランブル処理された前記送信データを夫々前記第１及び第２の基地局装置に送信する送信部とを備え、
前記第１及び第２の基地局装置は、
前記送信データを受信し、前記共通のスクランブルコードを用いて前記送信データに対してデスクランブル処理を行う受信部を夫々備え、
前記第２の基地局装置は、前記デスクランブルされたデータを前記第１の基地局装置へ転送する転送部
を備えることを特徴とする無線通信システム。
【請求項７】
１または複数のセルまたはセクタを夫々有する基地局装置間でデータの転送を行う第１及び第２の基地局装置と、端末装置との間で無線通信を行う無線通信システムにおける無線通信方法であって、
前記端末装置は、
前記セルまたは前記セクタ毎に前記第１及び第２の基地局装置へ送信する送信データに対して、共通のスクランブルコードを用いてスクランブル処理し、
前記スクランブル処理された前記送信データを夫々前記第１及び第２の基地局装置に送信し、
前記第１及び第２の基地局装置は、
前記送信データを受信し、前記共通のスクランブルコードを用いて前記送信データに対してデスクランブル処理を行い、
前記第２の基地局装置は、前記デスクランブルされたデータを前記第１の基地局装置へ転送する
ことを特徴とする無線通信方法。
【請求項８】
１または複数のセルまたはセクタを有する他の基地局装置とデータの転送を行い、前記他の基地局装置とともに端末装置との間で無線通信を行う基地局装置において、
前記セルまたは前記セクタ毎に前記基地局装置と前記他の基地局装置へ送信される送信データに対して共通のスクランブルコードを用いてスクランブル処理が施され、前記スクランブル処理された前記送信データを受信し、前記送信データに対して前記共通のスクランブルコードを用いてデスクランブル処理を行う受信部と、
前記デスクランブルされたデータを前記他の基地局装置へ転送する転送部と
を備えることを特徴とする基地局装置。
【請求項９】
１または複数のセルまたはセクタを夫々有する基地局装置間でデータの転送を行う第１及び第２の基地局装置と無線通信を行う端末装置において、
前記セルまたは前記セクタ毎に前記第１及び第２の基地局装置へ送信される送信データに対して、共通のスクランブルコードを用いてスクランブル処理する処理部と、
前記スクランブル処理された前記送信データを夫々前記第１及び第２の基地局装置に送信する送信部と
を備えることを特徴とする端末装置。
【請求項１０】
複数のセクタを有しそれぞれのセクタについての第１及び第２の通信部を有する基地局装置と、端末装置との間で無線通信を行う無線通信システムにおいて、
前記基地局装置の第１の通信部は、
送信データを前記第２の通信部へ転送する転送部
を備え、
前記基地局装置の第１及び第２の通信部は、
前記セクタ毎に前記送信データを前記端末装置に夫々送信するとき、共通のスクランブルコードを用いて前記送信データを夫々スクランブル処理する処理部と、
前記スクランブル処理された前記送信データを夫々前記端末装置に送信する送信部と
を夫々備え、
前記端末装置は、
前記送信データを受信し、前記共通のスクランブルコードを用いて前記送信データをデスクランブル処理する受信部
を備えることを特徴とする無線通信システム。
【請求項１１】
複数のセクタを有しそれぞれのセクタについての第１及び第２の通信部を有する基地局装置と、端末装置との間で無線通信を行う無線通信システムにおいて、
前記端末装置は、
前記セクタ毎に送信データに対して、共通のスクランブルコードを用いてスクランブル処理する処理部と、
前記スクランブル処理された前記送信データを夫々基地局装置に送信する送信部と
を備え、
前記基地局装置の第１及び第２の通信部は、
夫々前記送信データを受信し、前記共通のスクランブルコードを用いて前記送信データに対して夫々デスクランブル処理を行う受信部
を夫々備え、
前記基地局装置の第２の通信部は、
前記デスクランブルされたデータを前記第１の通信部へ転送する転送部
を備えることを特徴とする無線通信システム。
【発明の詳細な説明】
【技術分野】
【０００１】
本発明は、無線通信システム、基地局装置、端末装置、及び無線通信システムにおける無線通信方法に関する。
【背景技術】
【０００２】
ＬＴＥ‐Ａ（LTE-Advanced）システムでは、ＣｏＭＰ（Coordinate Multi Point access）による無線通信が検討されている（例えば、以下の非特許文献１、２）。
【０００３】
ＣｏＭＰは、例えば、端末が複数の基地局（またはセクタ）と通信可能な領域に位置するとき、各基地局がＭＩＭＯ（Multiple Input Multiple Output）を用いて異なるデータを端末に送信することにより実行される。
【０００４】
一方、ＬＴＥなどの無線通信システムにおいて、基地局は送信データに対してスクランブリング処理を行う（例えば、以下の非特許文献３、４）。例えば、基地局は、送信データｂ（０），．．．，ｂ（Ｍｂｉｔ−１）とスクランブリングコードｃ（ｉ）とを加算し、「２」の剰余（Modulo）を演算することで、スクランブルを実施する。すなわち、
【０００５】
【数１】
0005605471.tif 000002
【０００６】
となる。ここで、スクランブルコードｃ（ｉ）は長さ「３１」のゴールド符号であり、以下の生成多項式で求められる。
【０００７】
【数２】
0005605471.tif 000003
【０００８】
【数３】
0005605471.tif 000004
【０００９】
【数４】
0005605471.tif 000005
【００１０】
ここで、
【００１１】
【数５】
0005605471.tif 000006
【００１２】
であり、更に、スクランブルコードｃ（ｉ）の初期値は以下で与えられる。
【００１３】
【数６】
0005605471.tif 000007
【００１４】
すなわち、スクランブルコードｃ（ｉ）の初期値は、端末番号
【００１５】
【数７】
0005605471.tif 000008
【００１６】
、（物理）セル（またはセクタ）番号
【００１７】
【数８】
0005605471.tif 000009
【００１８】
、及びスロット番号
【００１９】
【数９】
0005605471.tif 000010
【００２０】
で決まる値である。
【００２１】
なお、この種の従来技術として、例えば、移動局から通知された受信品質に基づいて、移動局に対して送信する送信セクタを少なくとも２つ選択し、移動局に対して送信割り当てを行う送信割り当て手段と、送信セクタからセクタ識別のための同じスクランブリングコードを使用して移動局に送信する送信手段を備える制御装置等が開示される（例えば、以下の特許文献１）。
【００２２】
また、例えば、基地局固有スクランブリングコードを生成する基地局固有スクランブル生成部と、セクタ固有の直交系列を生成するセクタ固有直交系列生成部と、物理チャネル毎のソフト合成の要否に基づいて、前記基地局固有スクランブリングコードと前記セクタ固有直交系列の乗算の要否を制御する乗算制御部とを備える基地局装置等が開示される（例えば、以下の特許文献２）。
【先行技術文献】
【特許文献】
【００２３】
【特許文献１】特開２００６‐３１１４７５号公報
【特許文献２】特開２００８‐９２３７９号公報
【非特許文献】
【００２４】
【非特許文献１】R1-084203
【非特許文献２】3GPP TS 36.210 V8.6.0
【非特許文献３】3GPP TS 36.211 V8.2.0
【非特許文献４】R1-081229
【発明の概要】
【発明が解決しようとする課題】
【００２５】
上述したようにスクランブルコードの初期値は、端末番号、セル番号、及びスロット番号から決定されるが、端末番号はセル毎に基地局により設定され、セル番号もセル毎に異なる。また、スロット番号もセル間で異なる番号となる場合もある。従って、異なるセルから端末に対してＣｏＭＰ送信を行う場合、スクランブルコードの初期値はセルごとに異なる値となる。よって、各基地局と端末は、異なるスクランブルコードを作成し、これを用いてスクランブリング及びデスクランブリングの処理を行うことになる。従って、各基地局及び端末は処理が複雑になり、さらに消費電力も大きくなる。
【００２６】
また、特許文献１及び２に記載されたものは、２つのセクタから異なるデータが送信される場合については開示されていない。特許文献１に記載されているように、同じスクランブルコードを使用して、２つのセクタから異なるデータが送信された場合、移動局は２つの信号を受信するが、これらの２つの信号は混信し、２つのセクタから送信されたデータを識別できないからである。
【００２７】
そこで、本発明の一目的は、端末装置または基地局装置において処理の軽減を図るようにした無線通信システム、基地局装置、端末装置、及び無線通信システムにおける無線通信方法を提供することにある。
【００２８】
また、本発明の他の目的は、端末装置または基地局装置において消費電力の削減を図るようにした無線通信システム等を提供することにある。
【課題を解決するための手段】
【００２９】
一態様によれば、１または複数のセルまたはセクタを夫々有する第１及び第２の基地局装置と、端末装置との間で無線通信を行う無線通信システムにおいて、前記第１及び第２の基地局装置は、前記セルまたは前記セクタ毎に夫々異なる第１及び第２の送信データを前記端末装置に夫々送信するとき、共通のスクランブルコードを用いて前記第１及び第２の送信データを夫々スクランブル処理する処理部と、前記スクランブル処理された前記第１及び第２の送信データを夫々前記端末装置に送信する送信部とを夫々備え、前記端末装置は、前記第１及び第２の送信データを受信し、前記共通のスクランブルコードを用いて前記第１及び第２の送信データをデスクランブル処理する受信部とを備える。
【００３０】
また、他の態様によれば、１または複数のセルまたはセクタを夫々有する第１及び第２の基地局装置と、端末装置との間で無線通信を行う無線通信システムにおいて、前記端末装置は、前記セルまたは前記セクタ毎に夫々異なる第１及び第２の送信データに対して、共通のスクランブルコードを用いてスクランブル処理する処理部と、前記スクランブル処理された前記第１及び第２の送信データを夫々前記第１及び第２の基地局装置に送信する送信部とを備え、前記第１及び第２の基地局装置は、前記第１及び第２の送信データを受信し、前記共通のスクランブルコードを用いて前記第１及び第の送信データに対してデスクランブル処理を行う受信部を夫々備える。
【発明の効果】
【００３１】
端末装置または基地局装置において処理の軽減を図るようにした無線通信システム、基地局装置、端末装置、及び無線通信システムにおける無線通信方法を提供することができる。また、端末装置または基地局装置において消費電力の削減を図るようにした無線通信システム等を提供することができる。
【図面の簡単な説明】
【００３２】
【図１】図１は無線通信システムの構成例を示す図である。
【図２】図２は下り方向における無線通信システムの構成例を示す図である。
【図３】図３はマスタ基地局装置の構成例を示す図である。
【図４】図４はスレーブ基地局装置の構成例を示す図である。
【図５】図５は端末装置の構成例を示す図である。
【図６】図６はスクランブルコード作成部の構成例を示す図である。
【図７】図７は動作例を示すフローチャートである。
【図８】図８は動作例を示すフローチャートである。
【図９】図９は上り方向における無線通信システムの構成例を示す図である。
【図１０】図１０はマスタ基地局装置の構成例を示す図である。
【図１１】図１１はスレーブ基地局装置の構成例を示す図である。
【図１２】図１２は端末装置の構成例を示す図である。
【図１３】図１３は動作例を示すフローチャートである。
【図１４】図１４は動作例を示すフローチャートである。
【図１５】図１５は端末装置の構成例を示す図である。
【図１６】図１６は端末装置の構成例を示す図である。
【図１７】図１７は基地局装置の構成例を示す図である。
【発明を実施するための形態】
【００３３】
本発明を実施するための形態について以下説明する。図１は無線通信システム１０の構成例を示す図である。無線通信システム１０は、２つの基地局装置（ｅＮＢ：evolved Node_B、以下「基地局」）１００‐１，１００‐２と、端末装置（ＵＥ：User Equipment、以下「端末」）２００とを備える。基地局１００‐１，１００‐２は異なるデータを送信し、端末２００はこれを受信する（下り方向）。また、端末２００は異なるデータを基地局１００‐１，１００‐２に送信することもできる（上り方向）。基地局１００‐１，１００‐２と端末２００はともに所謂ＣｏＭＰ通信を行うことができる。以下では、下り方向（第１の実施例）と上り方向（第２の実施例）に分けて説明する。なお、３ＧＰＰにおいて「セル」は、所謂「セクタ」と同内容で定義されており、以下の実施例でも特に断らない限り、「セル」＝「セクタ」として説明する。
【００３４】
＜第１の実施例＞
まず、下り方向について説明する。図２は下り方向における無線通信システム１０の構成例を示す図である。２つの基地局１００‐１，１００‐２のうち、基地局１００‐１はマスタ基地局、基地局１００‐２はスレーブ基地局である。マスタ基地局１００‐１は、例えばＣｏＭＰ送信を実施する前に端末２００と接続中の基地局であり、スレーブ基地局１００‐２は例えばＣｏＭＰ送信を実施する基地局である。マスタ基地局１００‐１は制御信号を端末２００に送信する。端末２００は、制御信号に基づいて、マスタ基地局１００‐１とスレーブ基地局１００‐２から送信された、異なる送信データ（ＤＳＣＨ）を受信する。
【００３５】
＜マスタ基地局の構成例＞
第１の実施例におけるマスタ基地局１００‐１の構成例について説明する。図３はマスタ基地局１００‐１を示す図である。
【００３６】
マスタ基地局１００‐１は、アンテナ１０１と、受信無線部１０２と、復調・復号部１０３と、接続要求信号抽出部１０４と、無線回線制御部１０５と、セル情報信号作成部１０６と、ＣｏＭＰ通信要求信号抽出部１０７と、ＣｏＭＰ通信実施判定及び制御部（以下、「制御部」）１０８と、無線回線品質情報抽出部１０９と、スケジューラ１１０と、制御信号作成部１１１と、スクランブリングコード作成部１１２と、送信データバッファ１１３と、符号化・変調部１１４と、送信無線部１１５とを備える。
【００３７】
アンテナ１０１は、端末２００との間で無線信号を送受信する。
【００３８】
受信無線部１０２は、アンテナ１０１で受信した無線信号を受信信号として出力する。
【００３９】
復調・復号部１０３は、受信無線部１０２から出力された受信信号を復調及び復号を行う。
【００４０】
接続要求信号抽出部１０４は、復調等された受信信号から接続要求信号を抽出する。接続要求信号は、例えば、端末２００がマスタ基地局１００‐１との間で回線接続の要求を行うときに使用される信号である。
【００４１】
無線回線制御部１０５は、接続要求信号抽出部１０４から接続要求信号を入力すると、例えば内部に保持された複数あるセル番号と端末番号のうちいずれかのセル番号と端末番号を選択して、セル情報信号作成部１０６及びスクランブリングコード作成部１１２に出力する。
【００４２】
セル情報信号作成部１０６は、無線回線制御部１０５から出力されたセル番号及び端末番号と、スケジューラ１１０から出力されたスロット番号とからセル情報を作成する。作成したセル情報は、セル情報信号としてＣｏＭＰ送信を実施する基地局（例えば、スレーブ基地局１００‐２）に送信される。また、セル情報信号は端末２００に送信するために符号化・変調部１１４にも出力される。
【００４３】
ＣｏＭＰ通信要求信号抽出部１０７は、復調・復号部１０３から出力された受信信号のうちＣｏＭＰ通信要求信号を抽出する。ＣｏＭＰ通信要求信号は、例えば端末２００がＣｏＭＰ通信を行いたいときに端末２００から送信された信号である。
【００４４】
制御部１０８は、ＣｏＭＰ送信を実施するか否かを判定し、ＣｏＭＰ送信を実施すると判定したとき、ＣｏＭＰ送信実施通知をスレーブ基地局１００‐２に通知する。制御部１０８は、例えば、無線回線品質情報抽出部１０９から出力された無線回線品質と、スレーブ基地局１００‐２から送信された無線回線品質とに基づいてＣｏＭＰ送信を実施するか否かを判定する。ＣｏＭＰ送信実施通知は、スケジューラ１１０とセル情報信号作成部１０６にも出力される。ＣｏＭＰ送信の実施判定の詳細は後述する。
【００４５】
無線回線品質情報抽出部１０９は、復調・復号部１０３から出力された受信信号のうち無線回線品質情報を抽出する。無線回線品質情報は、例えば端末２００から送信された情報である。
【００４６】
スケジューラ１１０は、無線回線品質情報抽出部１０９から出力された無線回線品質情報に基づいて、端末２００との下り方向の通信で使用される符号化率、変調方式等を決定する（スケジューリングを行う）。スケジューラ１１０は決定した符号化率等に関するスケジューリング情報を制御信号作成部１１１に出力する。また、スケジューラ１１０は、スケジューリング情報のうち使用周波数とプリコーディング情報とをＣｏＭＰ制御信号としてスレーブ基地局１００‐２に送信し、スロット番号をセル情報信号作成部１０６とスクランブルコード作成部１１２に出力する。なお、スケジューラ１１０は、決定したスケジューリング情報に従って送信データに対する符号化処理等が行われるように符号化・変調部１１４と送信無線部１１５とを制御する。
【００４７】
制御信号作成部１１１は、スケジューラ１１０から出力されたスケジューリング情報を含む制御信号を作成し、符号化・変調部１１４に出力する。
【００４８】
スクランブリングコード作成部１１２は、スケジューラ１１０から出力されたスロット番号と、無線回線制御部１０５から出力されたセル番号及び端末番号とに基づいて、スクランブルコードの初期値を作成し、順次スクランブルコードを作成する。スクランブリングコード作成部１１２の詳細は後述する。
【００４９】
送信データバッファ１１３は、マスタ基地局１００‐１から端末２００に送信される送信データを一時記憶する。
【００５０】
符号化・変調部１１４は、スクランブリングコード作成部１１２で作成されたスクランブルコードを用いて、送信データバッファ１１３から出力された送信データをスクランブルし、スクランブル後の送信データをスケジューリング情報に基づいて符号化及び変調する。なお、符号化・変調部１１４は、セル情報信号作成部１０６から出力されたセル情報と、制御信号作成部１１１から出力された制御信号とに対して符号化等の処理を行うが、これらに対してスクランブル処理を行ってもよい。
【００５１】
送信無線部１１５は、符号化・変調部１１４から出力された送信データ等に対して、スケジューラ１１０で作成されたプリコーディング情報に従い送信データ等の重み付けの処理（またはウェイト処理）等が行われる。また、送信無線部１１５は、例えばパイロット信号（または既知信号）を生成する。送信無線部１１５からの出力は無線信号としてアンテナ１０１を介して端末２００に送信される。
【００５２】
＜スレーブ基地局の構成例＞
次に第１の実施例におけるスレーブ基地局１００‐２の構成例について説明する。スレーブ基地局１００‐２は、マスタ基地局１００‐１と同様の構成である。
【００５３】
制御部１０８は、ＣｏＭＰ通信要求信号抽出部１０７からＣｏＭＰ通信要求信号を入力し、さらにマスタ基地局１００‐１からＣｏＭＰ実施通知を受信すると、ＣｏＭＰ実施通知をスケジューラ１１０に出力する。
【００５４】
スケジューラ１１０は、無線回線品質情報抽出部１０９から出力された無線回線品質情報に基づいて下り方向のスケジューリングを行う。また、スケジューラ１１０は、制御部１０８からＣｏＭＰ実施通知を受け取り、マスタ基地局１００‐１からＣｏＭＰ制御信号を受信すると、ＣｏＭＰ送信のためのスケジューリングを行う。スケジューラは、スケジューリングに従い符号化処理等が行われるように符号化・変調部１１４と送信無線部１１５を制御する。
【００５５】
スクランブリングコード作成部１１２は、マスタ基地局１００‐１からセル情報を入力し、セル情報に基づいてスクランブルコードの初期値を作成し、順次スクランブルコードを作成する。その詳細は後述する。スクランブリングコード作成部１１２はマスタ基地局１００‐１から通知されたセル情報に基づいてスクランブルコードを作成するため、マスタ基地局１００‐１とスレーブ基地局１００‐２は同一のスクランブルコードを作成する。作成されたスクランブルコードは符号化・変調部１１４に出力され、スレーブ基地局１００‐２から送信される送信データにスクランブル処理が施される。
【００５６】
＜端末の構成例＞
次に端末２００の構成例について説明する。図５は端末２００の構成例を示す図である。
【００５７】
端末２００は、アンテナ２０１と、受信無線部２０２と、復調・復号部２０３と、無線回線品質測定及び算出部（以下、算出部）２０４と、無線回線品質情報作成部２０５と、セル情報抽出部２０６と、スクランブリングコード作成部２０７と、受信制御信号抽出部２０８と、端末設定制御部２０９と、受信電力測定部２１０と、回線接続制御部２１１と、接続要求信号作成部２１２と、符号化・変調部２１３と、送信無線部２１４と、ＣｏＭＰ通信制御部２２０と、ＣｏＭＰ通信要求信号作成部２２１とを備える。
【００５８】
アンテナ２０１は、各基地局１００‐１，１００‐２との間で無線信号を送受信する。
【００５９】
受信無線部２０２は、アンテナ２０１で受信した無線信号を受信信号として出力する。
【００６０】
復調部・復号部２０３は、スクランブリングコード作成部２０７で作成されたスクランブルコードを用いて受信信号をデスクランブルし、端末設定制御部２０９により設定された復調方式等に従い、受信信号に対して復調及び復号を行う。
【００６１】
算出部２０４は、マスタ基地局１００‐１またはスレーブ基地局１００‐２から送信されたパイロット信号等に対して、各無線回線の無線品質を測定する。算出部２０４は、例えばパイロット信号のＳＩＮＲ（Signal to Interference Noise Ratio：信号対干渉雑音比）等を測定すること無線回線品質を測定する。
【００６２】
無線回線品質情報作成部２０５は、算出部２０４から出力された無線回線品質に基づいて、無線回線品質情報を作成する。無線回線品質情報は、例えばＣＱＩ（Channel Quality Indicator）などである。作成した無線回線品質情報は符号化・変調部２１３に出力さ
れる。
【００６３】
セル情報抽出部２０６は、復調・復号部２０３から出力された受信信号のうちセル情報を抽出する。抽出したセル情報はスクランブルコード作成部２０７に出力される。
【００６４】
スクランブリングコード作成部２０７は、セル情報（セル番号、端末番号、スロット番号を含む）に基づいてスクランブルコードの初期値を作成し、順次スクランブルコードを作成する。スクランブルコード作成部１０７は、作成したスクランブルコードを復調・復号部２０３に出力する。
【００６５】
受信制御信号抽出部２０８は、受信信号のうち制御信号を抽出し、端末設定制御部２０９に出力する。
【００６６】
端末設定制御部２０９は、制御信号に含まれるスケジューリング情報に従って、基地局１０００‐１，１００‐２からの受信データ等を復調、復号等できるように、受信無線部２０２と復調・復号部２０３を制御する。
【００６７】
受信電力測定部２１０は、受信信号のうち、例えば、パイロット信号の受信電力を測定し、測定結果を回線接続制御部２１１とＣｏＭＰ通信制御部２２０に出力する。
【００６８】
回線接続制御部２１１は、受信電力に基づいて基地局１００‐１，１００‐２との回線を接続するか否かを決定する。回線接続制御部２１１は、例えば、受信電力が閾値以上のとき回線接続することを決定し、そうでないとき回線を接続しないことを決定する。回線接続制御部２１１は、回線接続することを決定したとき、指示信号を接続要求信号作成部２１２に出力する。
【００６９】
接続要求信号作成部２１２は、指示信号に基づいて、接続要求信号を作成し、符号化・変調部２１３に出力する。
【００７０】
ＣｏＭＰ通信制御部２２０は、受信電力が例えば閾値以上のとき、ＣｏＭＰ通信要求信号の作成指示をＣｏＭＰ通信要求信号作成部２２１に出力する。
【００７１】
ＣｏＭＰ通信要求信号作成部２２１は、ＣｏＭＰ通信制御部２２０からの指示に基づいてＣｏＭＰ通信要求信号を作成し、符号化・変調部２１３に出力する。
【００７２】
符号化・変調部２１３は、無線回線品質情報、接続要求信号、ＣｏＭＰ通信要求信号等に対して、符号化及び変調処理を施す。
【００７３】
送信無線部２１４は、符号化等された無線回線品質情報等に対して送信電力の制御等を行い、無線信号としてアンテナ２０１に出力する。無線回線品質情報等は無線信号として基地局１００‐１，１００‐２に送信される。
【００７４】
＜スクランブルコード作成部の構成例＞    
次に、マスタ基地局１００‐１、スレーブ基地局１００‐２のスクランブリングコード作成部１１２、及び端末２００のスクランブリングコード作成部２０７の構成例について説明する。図６はスクランブリングコード作成部１１２，２０７の構成例を示す図であり、既知のゴールド符号生成器である。
【００７５】
スクランブリングコード作成部１１２，２０７は、第１及び第２のレジスタ（またはフリップフロップ）１１２‐１，１１２‐３と、第１〜第３の排他的論理和回路１１２‐２，１１２‐４，１１２‐５とを備える。
【００７６】
スクランブリングコード作成部１１２，２０７は、長さ「３１」のゴールド符号（またはスクランブルコード）を生成し、その出力がスクランブルコードｃ（ｎ）となる。スクランブルコードｃ（ｎ）の生成多項式は上述した数２〜数４で示される。
【００７７】
＜下り方向の動作例＞
次に第１の実施例における動作例について説明する。図７及び図８は動作例を示すフローチャートである。なお、端末２００は、マスタ基地局１００‐１とスレーブ基地局１００‐２の双方に通信接続可能な領域に位置しているものとする。
【００７８】
最初に、マスタ基地局１００‐１はセル情報等を端末２００に報知する（Ｓ１０）。マスタ基地局１００‐１が報知するセル情報には、例えばセル情報信号作成部１０６で作成されたセル情報（セル番号、端末、及びスロット番号）が含まれてもよい。
【００７９】
次いで、マスタ基地局１００‐１は、パイロット信号を送信する（Ｓ１１）。例えば、パイロット信号はマスタ基地局１００‐１の送信無線部１１５で生成される。
【００８０】
次いで、端末２００は受信したパイロット信号等に基づいて通信対象となるセルを選択し（Ｓ１２）、選択したセルとの間で回線を設定する（Ｓ１３）。例えば、端末２００の受信電力測定部２１０がパイロット信号の受信電力を測定し、回線接続制御部２１１が回線の接続を判定することでセル（例えば、マスタ基地局１００‐１）を選択する。そして、接続要求信号作成部２１２は接続要求信号を作成してマスタ基地局１００‐１に送信し、回線の設定が行われる。端末２００は最初にマスタ基地局１００‐１と接続する。
【００８１】
次いで、端末２００はマスタ基地局１００‐１との無線回線の品質（例えば、ＣＱＩ）を測定し（Ｓ１４）、無線回線品質情報をマスタ基地局１００‐１に送信する（Ｓ１５）。例えば、端末２００の算出部２０４がパイロット信号に基づいて無線回線品質を測定し、無線回線品質情報作成部２０５が無線回線品質情報を作成し、当該情報がマスタ基地局１００‐１に送信される。
【００８２】
次いで、マスタ基地局１００‐１は、無線回線品質情報に基づいてスケジューリングを行う（Ｓ１６）。例えば、マスタ基地局１００‐１のスケジューラ１１０が無線回線品質情報抽出部１０９で抽出した無線回線品質情報に基づいてスケジューリングを行う。
【００８３】
次いで、マスタ基地局１００‐１は送信信号処理を行う（Ｓ１７）。例えば、符号化・変調部１１４は送信データバッファ１１３に記憶された送信データを読み出し、スケジューラ１１０でスケジューリングされた符号化率等により符号化等の処理を行う。また、制御信号作成部１１１で作成されたスケジューリング情報を含む制御信号についても、符号化・変調部１１４において符号化等の処理が施される。
【００８４】
次いで、マスタ基地局１００‐１は、制御信号と送信データとを端末２００に送信する（Ｓ１８，Ｓ１９）。
【００８５】
端末２００は、制御信号と送信データとを受信すると受信信号処理を行う（Ｓ２０）。例えば、端末設定制御部２０９は、受信した制御信号に含まれるスケジューリング情報に従って復調、復号等が行われるように受信無線部２０２と復調・復号部２０３を制御する。
【００８６】
次いで、端末２００は、スレーブ基地局１００‐２から報知されたセル情報等とパイロット信号とを受信する（Ｓ２１，Ｓ２２）。そして、端末２００は接続基地局としてスレーブ基地局１００‐２を選択し（Ｓ２３）、スレーブ基地局１００‐２との間で回線を設定する（Ｓ２４）。
【００８７】
次いで、端末２００と基地局１００‐１，１００‐２との間でＣｏＭＰ送信のための処理が行われる。まず、端末２００はマスタ基地局１００‐１とスレーブ基地局１００‐２とからパイロット信号をそれぞれ受信し（Ｓ２５，Ｓ２６）、各無線回線の回線品質を測定する（Ｓ２７）。例えば、端末２００の算出部２０４で各無線回線品質が測定される。なお、このときマスタ基地局１００‐１とスレーブ基地局１００‐２とからのパイロット信号の識別を容易にするためにマスタ基地局１００‐１のセル番号及びスレーブ基地局１００‐２の本来のセル番号を基に作成した異なるパイロット信号としてもよい。
【００８８】
次いで、端末２００は、測定した各無線回線品質をそれぞれスレーブ基地局１００‐２とマスタ基地局１００‐１に送信する（Ｓ２８，Ｓ３０）。例えば、無線回線品質情報作成部２０５で各無線回線品質情報が作成されて、当該情報が送信される。
【００８９】
スレーブ基地局１００‐２は、端末２００から送信された無線回線品質情報をマスタ基地局１００‐１に送信する（Ｓ２９）。例えば、スレーブ基地局１００‐２の無線回線品質情報抽出部１０９は、抽出した端末２００との間の無線回線品質をマスタ基地局１００‐１に送信する。
【００９０】
次いで、マスタ基地局１００‐１は、ＣｏＭＰ送信が可能か否かの判定を行う（Ｓ３１）。例えば、マスタ基地局１００‐１の制御部１０８は、スレーブ基地局１００‐２からの無線回線品質と、ＣｏＭＰ通信要求信号抽出部１０７で抽出された無線回線品質とが、ともに閾値以上のときＣｏＭＰ通信可能と判定する。マスタ基地局１００‐１からの無線回線品質と比較する閾値と、スレーブ基地局１００‐２からの無線回線品質と比較する閾値は、同じでも良いし、異なっていてもよい。なお、制御部１０８はＣｏＭＰ送信可能でないと判定したとき、一連の処理を終了する。
【００９１】
次いで、端末２００はＣｏＭＰ送信実施要求をスレーブ基地局１００‐２とマスタ基地局１００‐１に送信する（Ｓ３２，Ｓ３３）。例えば、端末２００のＣｏＭＰ通信制御部２２０で実施要求の指示を出力し、ＣｏＭＰ通信要求信号作成部２２１から当該要求信号が送信される。
【００９２】
マスタ基地局１００‐１は、ＣｏＭＰ送信可能と判定し（Ｓ３１）、端末２００からＣｏＭＰ実施要求を受信すると（Ｓ３３）、ＣｏＭＰ実施通知をスレーブ基地局１００‐２と端末２００に送信する（Ｓ３４，Ｓ３５）。例えば、マスタ基地局１００‐１の制御部１０８は、スレーブ基地局１００‐２にＣｏＭＰ実施通知を送信する。また、例えば、制御部１０８はスケジューラ１１０にＣｏＭＰ実施通知を出力し、スケジューラ１１０から制御信号としてＣｏＭＰ実施通知が端末２００に送信される。
【００９３】
次いで、マスタ基地局１００‐１とスレーブ基地局１００‐２は基地局間で同期をとるための処理を行う（Ｓ３６）。ＣｏＭＰ送信において送信データが同期して端末２００に送信されるようにするためである。例えば、マスタ基地局１００‐１とスレーブ基地局１００‐２との制御部１０８とが互いに信号の送受信を行い位相同期させることで同期処理が行われる。
【００９４】
次いで、マスタ基地局１００‐１はＣｏＭＰ送信のためのスケジューリングを行う（Ｓ３７）。例えば、スケジューラ１１０は制御部１０８からＣｏＭＰ実施通知を受け取ると、無線回線品質（Ｓ２９，Ｓ３０）等に基づいてスケジューリングを行う。作成されるスケジューリング情報にはＣｏＭＰ送信に用いられる使用周波数とプリコーディング情報とが含まれる。
【００９５】
次いで、マスタ基地局１００‐１は、セル情報をスレーブ基地局１００‐２に送信する（Ｓ３８）。例えば、セル情報信号作成部１０６は、無線回線制御部１０５からセル番号及び端末番号を入力し、スケジューラ１１０から出力されたスロット番号を入力し、セル番号、端末番号、及びスロット番号を含むセル情報を作成して送信する。例えば、セル番号と端末番号は、端末２００と回線設定（Ｓ１３）するときに無線回線制御部１０５により作成されるもので、セル情報作成部１０６は、制御部１０８からのＣｏＭＰ実施通知を契機にしてセル番号等を無線回線制御部１０５から読み出すこともできる。スロット番号についてもスケジューラ１１０がスケジューリング（Ｓ３７）により当該番号をセル情報作成部１０６に出力するようにしてもよい。なお、端末２００は測定算出したスレーブ基地局１００‐２との無線回線品質を直接マスタ基地局１００‐１へ通知してもよい。
【００９６】
次いで、マスタ基地局１００‐１は、送信データ（例えば送信データ２）をスレーブ基地局１００‐２に転送する（Ｓ３９）。例えば、マスタ基地局１００‐１のスケジューラ１１０は、送信データバッファ１１３に記憶された送信データのうち一部（例えば、送信データ２）を読み出してスレーブ基地局１００‐２に送信する。スレーブ基地局１００‐２の送信データバッファ１１３はマスタ基地局１００‐１から送信された送信データを記憶する。送信データ１と送信データ２は、例えばセル毎に異なる送信データである。
【００９７】
次いで、マスタ基地局１００‐１は送信制御情報をスレーブ基地局１００‐２に通知する（Ｓ４０）。例えば、スケジューラ１１０は、プリコーディング情報等を含むスケジューリング情報（Ｓ３７）を送信制御情報としてスレーブ基地局１００‐２に送信する。
【００９８】
次いで、マスタ基地局１００‐１とスレーブ基地局１００‐２は送信信号処理を行う（Ｓ４１，Ｓ４２）。例えば、マスタ基地局１００‐１のスクランブルコード作成部１１２は、無線回線制御部１０５からのセル番号及び端末番号と、スケジューラ１１０からのスロット番号とに基づいてスクランブルコードを作成する。符号化・変調部１１４は当該スクランブルコードを用いて送信データ１に対してスクランブル処理を行う。そして、送信データ１はスケジューリング（Ｓ３７）に従い、符号化等される。一方、スレーブ基地局１００‐２のスクランブルコード作成部１１２は、マスタ基地局１００‐１から送信されたセル情報（Ｓ３８）を用いてスクランブルコードを作成し、符号化・変調部１１４は送信データ２に対してスクランブル処理を行う。そして、送信データ２はマスタ基地局１００‐１から送信された送信制御情報に基づいて符号化等される。このように、マスタ基地局１００‐１とスレーブ基地局１００‐２は、共通のセル番号、端末番号、スロット番号からスクランブルコードが作成されるので、同一のスクランブルコードが作成される。
【００９９】
次いで、マスタ基地局１００‐１は、制御信号と送信データとを端末２００に送信する（Ｓ４３，Ｓ４４）。制御信号は、ＣｏＭＰ送信で使用する符号化率等以外にも、使用周波数とプリコーディング情報も含まれ、セル情報信号作成部１０６で作成されたセル情報が含まれてもよい。
【０１００】
次いで、スレーブ基地局１００‐２は、マスタ基地局１００‐１が送信した送信データとは異なる送信データ（例えば、送信データ２）を端末２００に送信する（Ｓ４５）。例えば、送信データ１と送信データ２は、プリコーディング情報に従い、重み付けられて送信される。
【０１０１】
次いで、端末２００は、マスタ基地局１００‐１とスレーブ基地局１００‐２とから送信された送信データに対して受信信号処理を行う（Ｓ４６）。例えば、端末２００の端末設定制御部２０９は、制御信号（Ｓ４３）に含まれるスケジューリング情報に従って、マスタ基地局１００‐１とスレーブ基地局１００‐２とからの各送信データを受信できるように、受信無線部２０２、復調・復号部２０３を制御する。このとき、端末２００のスクランブリングコード作成部２０７は、セル情報（Ｓ１０またＳ４３）に基づいてスクランブルコードを作成する。セル情報は、マスタ基地局１００‐１とスレーブ基地局１００‐２とで用いられたものと同一であるため、端末２００は基地局１００‐１，１００‐２で作成されたスクランブルコードと同一のスクランブルコードを作成できる。復調・復号部２０３はスクランブルコードに基づいて、送信データ１と送信データ２に対してデスクランブル処理を行う。
【０１０２】
このように本第１の実施例は、ＣｏＭＰ送信を行うときに、マスタ基地局１００‐１はスレーブ基地局１００‐２にセル情報を送信する（Ｓ３８）ため、スクランブルコードを作成するための情報が共有化され、共通のスクランブルコードを作成することができる。従って、各基地局１００‐１，１００‐２で異なるスクランブルコードを作成してスクランブル処理を行う場合と比較して、本無線通信システム１０は処理の軽減を図ることができる。また、処理が軽減されるため、端末２００と基地局１００‐１，１００‐２の消費電力を削減することもできる。
【０１０３】
また、マスタ基地局１００‐１はプリコーディング情報をスレーブ基地局１００‐２に送信し（Ｓ４０）、２つの基地局１００‐１，１００‐２はプリコーディング情報に基づいて異なるデータを端末２００に送信している。従って、共通のスクランブルコードを用いて異なるデータが２つの基地局１００‐１，１００‐２から送信されても、端末２００は制御信号に含まれるプリコーディング情報に基づいて受信処理（Ｓ４３，Ｓ４６）を行うことができるため、２つの異なるデータの混信を防ぐこともできる。
【０１０４】
＜第２の実施例＞
次に上り方向の例について説明する。第２の実施例は、端末２００から基地局１００‐１，１００‐２にデータが送信される上り方向の例である。
【０１０５】
図９は第２の実施例における無線通信システム１０の構成例を示す図である。マスタ基地局１００‐１は制御信号を端末２００に送信する。端末２００は、受信した制御信号に基づいて、異なる送信データ（ＵＳＣＨ）をマスタ基地局１００‐１とスレーブ基地局１００‐２に送信する。
【０１０６】
＜マスタ基地局の構成例＞
次に第２の実施例におけるマスタ基地局１００‐１の構成例を説明する。図１０はマスタ基地局１００‐１の構成例を示す図である。
【０１０７】
マスタ基地局１００‐１は、無線回線品質測定及び算出部（以下、算出部）１２１をさらに備える。算出部１２１は、端末２００から送信されたパイロット信号等に基づいて、端末２００との間の無線回線品質を測定し、無線回線品質（例えば、ＣＱＩ）を測定する。
【０１０８】
また、マスタ基地局１００‐１のスケジューラ１１０は、上り方向のスケジューリングを行うため、作成したスケジューリング情報に従い復調・復号部１０３と受信無線部１０２とを制御する。
【０１０９】
さらに、スクランブリングコード作成部１１２は、端末２００から送信された送信データ等に対してデスクランブル処理を行うため、作成したスクランブルコードを復調・復号部１０３に出力する。
【０１１０】
＜スレーブ基地局の構成例＞
次に第２の実施例におけるスレーブ基地局１００‐２の構成例を説明する。図１１はスレーブ基地局１００‐２の構成例を示す図である。
【０１１１】
スレーブ基地局１００‐２もさらに算出部１２１を備える。
【０１１２】
また、スレーブ基地局１００‐２のスケジューラ１１０は、上り方向のスケジューリングを行うため、復調・復号部１０３と受信無線部１０２とをスケジューリング情報に従い制御する。
【０１１３】
さらに、スクランブリングコード作成部１１２も、端末２００から送信された送信データ等に対してデスクランブル処理を行うため、作成したスクランブルコードを復調・復号部１０３に出力する。
【０１１４】
＜端末の構成例＞
次に第２の実施例における端末２００の構成例を説明する。図１２は端末２００の構成例を示す図である。本端末２００も下り方向の端末２００（図５）と同様の構成である。
【０１１５】
端末設定制御部２０９は、基地局１００‐１，１００‐２に送信する送信データ等に対し、制御信号に従って符号化等の処理が行われるように、符号化・変調部２１３を制御する。また、端末設定制御部２０９は、異なる送信データが重み付けられて基地局１００‐１，１００‐２に送信されるよう、制御信号に含まれるプリコーディング情報に従い、送信無線部２１４を制御する。
【０１１６】
また、スクランブリングコード作成部２０７は、基地局１００‐１，１００‐２への送信データ等に対してスクランブル処理を行うため、作成したスクランブルコードを符号化・変調部２１３に出力する。
【０１１７】
＜スクランブルコード作成部の構成例＞
各基地局１００‐１，１００‐２と端末２００のスクランブリングコード作成部１１２，２０７は第１の実施例と同様である。
【０１１８】
＜上り方向の動作例＞
次に第２の実施例における動作例について説明する。図１３及び図１４は動作例を示すフローチャートである。
【０１１９】
マスタ基地局１００‐１と端末２００との間で回線設定後（Ｓ１０〜Ｓ１３）、端末２００はパイロット信号をマスタ基地局１００‐１に送信する（Ｓ５０）。例えば、端末２００の送信無線部２１４がパイロット信号を生成して送信する。マスタ基地局１００‐１が送信するセル情報（Ｓ１０）には、セル情報信号作成部１０６で作成されたセル情報が含まれてもよい。
【０１２０】
次いで、マスタ基地局１００‐１はパイロット信号に基づいて上り方向の無線回線品質（例えば、ＣＱＩ）を測定する（Ｓ５１）。例えば、マスタ基地局１００‐１の算出部１２１で測定等が行われる。
【０１２１】
次いで、マスタ基地局１００‐１は、測定した無線回線品質に基づいて、上り方向のスケジューリングを行う（Ｓ１６）。例えば、スケジューラ１１０は、算出部１２１から出力された無線回線品質に基づいてスケジューリングを行う。
【０１２２】
次いで、マスタ基地局１００‐１は上り方向のスケジューリング情報を含む制御信号を送信し（Ｓ１８）、端末２００は当該制御信号に基づいて送信信号処理を行う（Ｓ５２）。例えば、マスタ基地局１００‐１の制御信号作成部１１１はスケジューリング情報を含む制御信号を作成し、符号化・変調部１１４等を介して送信する。また、端末２００の符号化・変調部２１３は、受信した制御信号に含まれるスケジューリング情報に従って、送信データを符号化及び変調処理を行う。
【０１２３】
次いで、端末２００は送信データをマスタ基地局１００‐１に送信する（Ｓ５３）。
【０１２４】
次いで、端末２００はスレーブ基地局１００‐２との間で回線設定等の処理を行う（Ｓ２１〜Ｓ２４）。そして、端末２００と基地局１００‐１，１００‐２との間でＣｏＭＰ送信のための処理が行われる。
【０１２５】
まず、端末２００は、ＣｏＭＰ送信実施要求を各基地局１００‐１，１００‐２に送信する（Ｓ３２〜Ｓ３３）。例えば、端末２００のＣｏＭＰ通信制御部２２０は、各無線回線品質の受信電力がともに閾値以上のとき、ＣｏＭＰ送信実施要求を指示する。ＣｏＭＰ通信要求信号作成部２２１はこの指示によりＣｏＭＰ通信要求信号を作成し、基地局１００‐１，１００‐２に送信する。
【０１２６】
次いで、端末２００はパイロット信号を各基地局１００‐１，１００‐２に送信する（Ｓ５４，Ｓ５５）。
【０１２７】
次いで、各基地局１００‐１，１００‐２は各々無線回線品質を測定する（Ｓ５６，Ｓ５７）。例えば、各基地局１００‐１，１００‐２の算出部１２１で無線回線品質が測定される。
【０１２８】
次いで、スレーブ基地局１００‐２は、測定した無線回線品質をマスタ基地局１００‐１に送信する（Ｓ５８）。例えば、スレーブ基地局１００‐２の算出部１２１が測定した無線回線品質をマスタ基地局１００‐１に送信する。
【０１２９】
次いで、マスタ基地局１００‐１は、２つの無線回線品質に基づいてＣｏＭＰ送信の判定を行う（Ｓ３１）。例えば、制御部１０８が２つの無線回線品質がともに閾値以上のときＣｏＭＰ送信を行うと判定する。なお、マスタ基地局１００‐１で測定算出された無線回線品質と比較する閾値と、スレーブ基地局１００‐２で測定算出された無線回線品質と比較する閾値は、同じでも良いし、異なっていてもよい。
【０１３０】
マスタ基地局１００‐１は、ＣｏＭＰ送信を実施する場合、ＣｏＭＰ送信実施通知をスレーブ基地局１００‐２と端末２００に送信する（Ｓ３４〜Ｓ３５）。
【０１３１】
そして、マスタ基地局１００‐１は、スレーブ基地局１００‐２との間で同期処理を行い（Ｓ３６）、ＣｏＭＰ送信のためのスケジューリングを行った後（Ｓ３７）、第１の実施例と同様にセル情報をスレーブ基地局１００‐２に通知する（Ｓ３８）。セル情報は、セル番号、端末番号、及びスロット番号を含む。
【０１３２】
次いで、マスタ基地局１００‐１は、上り方向の送信データ等に対するスケジューリング情報（Ｓ３７）を含む送信制御情報をスレーブ基地局１００‐２に送信し（Ｓ４０）、制御信号を端末２００に送信する（Ｓ４３）。当該制御信号にセル情報信号作成部１０６で作成されたセル情報が含まれてもよい。また、送信制御情報と制御信号には、使用周波数とプリコーディング情報も含まれる。
【０１３３】
次いで、端末２００は受信した制御信号に基づいて送信信号処理を行う（Ｓ５９）。例えば、スクランブリングコード作成部２０７は、セル情報抽出部２０６で抽出したセル情報（Ｓ１０またはＳ４３）に基づいてスクランブルコードを作成し、作成したスクランブルコードを符号化・変調部２１３に出力する。符号化・変調部２１３は、例えばセル毎に異なる送信データ１と送信データ２とに対して、同じ（または共通の）スクランブルコードを用いてスクランブル処理を施す。また、端末２００の端末設定制御部２０９は、受信したスケジューリング情報に基づいて符号化等の処理が行われるように符号化・変調部２１３を制御する。さらに、端末設定制御部２０９は、制御信号に含まれるプリコーディング情報に従って重み付けされた送信データが出力されるよう、送信無線部２１４を制御する。
【０１３４】
次いで、端末２００は異なる送信データ（例えば、送信データ１と送信データ２）をマスタ基地局１００‐１とスレーブ基地局１００‐２にそれぞれ送信する（Ｓ６０，Ｓ６１）。例えば、送信無線部２１４は、制御信号に含まれるプリコーディング情報に従って重み付けされた送信データを出力する。
【０１３５】
次いで、マスタ基地局１００‐１は、送信データ２に対して受信信号処理を行う（Ｓ６２）。例えば、マスタ基地局１００‐１のスクランブリングコード作成部１１２は、スケジューラ１１０で決定したスロット番号（Ｓ３７）と、無線回線制御部１０５からのセル番号及び端末番号とに基づいてスクランブルコードを作成する。作成されたスクランブルコードは復調・復号部１０３に出力され、送信データ２に対してデスクランブル処理が行われる。その後、復調・復号部１０３は送信データに対して復調及び復号等の処理を行う。
【０１３６】
また、スレーブ基地局１００‐２は、送信データ１に対して受信信号処理を行う（Ｓ６３）。例えば、スレーブ基地局１００‐２のスクランブリングコード作成部１１２は、マスタ基地局１００‐１から送信されたセル情報（Ｓ３８）に基づいてスクランブルコードを作成する。作成されたスクランブルコードは復調・復号部１０３に出力され、送信データ１に対してデスクランブル処理が行われる。例えば、基地局１００‐１，１００‐２は端末２００がスクランブル処理で用いたスクランブルコードと同一のスクランブルコードを用いて、それぞれ送信データ１または送信データ２に対してデスクランブル処理を行う。
【０１３７】
次いで、スレーブ基地局１００‐２は復調等された送信データ１をマスタ基地局１００‐１に転送する（Ｓ６４）。例えば、スレーブ基地局１００‐２の復調・復号部１０３はスケジューラ１１０の制御等により送信データ１をマスタ基地局１００‐１に送信する。
【０１３８】
このように本第２の実施例においても、マスタ基地局１００‐１はセル情報をスレーブ基地局１００‐２に送信している（Ｓ３８）ため、スレーブ基地局１００‐２はマスタ基地局１００‐１と同一のスクランブルコードを作成する。また、マスタ基地局１００‐１から端末２００にもセル情報が送信されるため、端末２００も基地局１００‐１，１００‐２と同一のスクランブルコードを作成できる。従って、異なるスクランブルコードを作成する場合と比較して、本無線通信システム１０は処理の軽減を図ることができる。また、送信側の端末２００と受信側の各基地局１００‐１，１００‐２は異なるスクランブルコードを作成しないことにより、消費電力削減を図ることもできる。
【０１３９】
＜その他の実施例＞
次にその他の実施例について説明する。上述した各実施例は、ＣｏＭＰ送信の判定をマスタ基地局１００‐１が行うものとして説明した（図８のＳ３１等）。例えば、かかる判定を端末２００が行うようにしてもよい。例えば、端末２００のＣｏＭＰ通信制御部２２０は、測定した無線通信品質に基づいて（図７のＳ２７）、ともに閾値以上か否かにより判定できる。この場合、測定した無線通信品質は基地局１００‐１，１００‐２に送信されないため、さらにマスタ基地局１００‐１の処理軽減を図ることができる。
【０１４０】
また、上述した各実施例は、ＣｏＭＰ送信の実施要求を端末２００が行うものとして説明した。例えば、マスタ基地局１００‐１が実施要求を行うようにしてもよい。下り方向の場合、例えばマスタ基地局１００‐１がＣｏＭＰ送信を行うと判定したとき（Ｓ３１）、ＣｏＭＰ実施要求を端末２００とスレーブ基地局１００‐２に送信することもできる。その後、マスタ基地局１００‐１は実施通知（Ｓ３４、Ｓ３５）を通知することで実施できる。また、上り方向についても、ＣｏＭＰ送信判定後（Ｓ３１）、ＣｏＭＰ送信要求を端末２００等に送信し、ＣｏＭＰ実施通知を通知（Ｓ３４〜Ｓ３５）することで実施できる。かかる場合の端末２００の構成例を図１５（下り方向の場合）、図１６（上り方向の場合）に示す。端末２００は、上述した実施例と比較してＣｏＭＰ通信制御部２２０とＣｏＭＰ通信要求信号作成部２２１がないため、さらに消費電力の削減を図ることができる。
【０１４１】
さらに、上述した各実施例は、マスタ基地局１００‐１とスレーブ基地局１００‐２の２つの基地局１００から送信データを送信する例について説明した。例えば、複数のセル（またはセクタ）を有する１つの基地局１００が送信データを送信するようにしてもよい。図１７は基地局装置１００の構成例を示す図である。基地局装置１００は、マスタ通信部１５０‐１と、スレーブ通信部１５０‐２と、各通信部１５０‐１，１５０‐２接続されたアンテナ１０１‐１，１０１‐２とを備える。マスタ通信部１５０‐１は、マスタ基地局１００‐１内の各部１０２等を備え、スレーブ通信部１５０‐２はスレーブ基地局１００‐２内の各部１０２等を備える。例えば、スレーブ通信部１５０‐２は無線回線品質情報をマスタ通信部１５０‐１に出力し、マスタ通信部１５０‐１はスレーブ通信部１５０‐２にセル情報等を出力する。これにより、基地局１００は下り方向及び上り方向について第１及び第２の実施例と同様に実施できる。
【０１４２】
さらに、上述した各実施例において、ＣｏＭＰ送信で使用されるセル番号、端末番号、及びスロット番号をＣｏＭＰ専用のセル番号、端末番号、及びスロット番号とすることもできる。例えば、マスタ基地局１００‐１の制御部１０８がＣｏＭＰ送信の実施を決定したとき（Ｓ３１）、その通知をセル情報信号作成部１０６に出力する。セル情報信号作成部１０６は、当該通知によりセル番号、端末番号、及びスロット番号をＣｏＭＰ専用の各番号に書き換えることもできる。また、セル情報信号作成部１０６はセル情報としてスレーブ基地局１００‐２に送信するため、スレーブ基地局１００‐２もマスタ基地局１００‐１と同一のスクランブルコードを作成できる。
【０１４３】
さらに、上述した各実施例は、２つの基地局１００‐１，１００‐２と端末２００との間でＣｏＭＰ送信を行う例について説明した。例えば、３つ以上の基地局１００と端末２００との間でＣｏＭＰ送信を実施することもできる。この場合、３つ以上の基地局のうちいずれか一つがマスタ基地局、それ以外の基地局がスレーブ基地局とし、上述した各実施例と同様にセル情報をマスタ基地局から複数のスレーブ基地局に送信することで実施できる。
【符号の説明】
【０１４４】
１０：無線通信システム                １００：基地局装置（基地局）
１００‐１：マスタ基地局              １００‐２：スレーブ基地局
１０３：復調・復号部                  １０５：無線回線制御部
１０６：セル情報信号作成部            １０７：ＣｏＭＰ通信要求信号抽出部
１０８：ＣｏＭＰ通信実施判定及び制御部（制御部）
１０９：無線回線品質情報抽出部        １１０：スケジューラ
１１１：制御信号作成部                １１２：スクランブリングコード作成部
１１４：符号化・変調部                １５０‐１：マスタ通信部
１５０‐２：スレーブ通信部            ２００：端末装置（端末）
２０３：復調・復号部                  ２０４：無線回線品質測定及び算出部（算出部）
２０５：無線回線品質情報作成部        ２０６：セル情報抽出部
２０７：スクランブリングコード作成部  ２０８：受信制御信号抽出部
２０９：端末設定制御部                ２１０：受信電力測定部
２１３：符号化・変調部                ２２０：ＣｏＭＰ通信制御部
２２１：ＣｏＭＰ通信要求信号作成部
【図１】
0005605471.tif 000011
【図２】
0005605471.tif 000012
【図３】
0005605471.tif 000013
【図４】
0005605471.tif 000014
【図５】
0005605471.tif 000015
【図６】
0005605471.tif 000016
【図７】
0005605471.tif 000017
【図８】
0005605471.tif 000018
【図９】
0005605471.tif 000019
【図１０】
0005605471.tif 000020
【図１１】
0005605471.tif 000021
【図１２】
0005605471.tif 000022
【図１３】
0005605471.tif 000023
【図１４】
0005605471.tif 000024
【図１５】
0005605471.tif 000025
【図１６】
0005605471.tif 000026
【図１７】
0005605471.tif 000027